(57)【要約】【課題】現在安価に成型するため、インサート成型装置を必要としない構成が考えられているが、この構成では、保護枠底面に誘導電流が発生し、コイル損失が増加するため、誘導コイルの温度が上昇するという課題がある。【解決手段】本発明の誘導過熱炊飯器は、本体内に着脱自在に収納される内鍋３と、前記内鍋３の下方に位置し前記内鍋３を誘導加熱する誘導コイル４と、前記誘導コイル４の下方に配置するフェライト５と、前記内鍋３と前記誘導コイル４を内包するよう少なくとも底面を有する低透磁率かつ低抵抗率の金属材質で形成された保護枠２とからなる誘導加熱調理器であって、保護枠底面２ａに孔部１０を設けた誘導加熱調理器。【選択図】図１
2014004190.tif 000002
【特許請求の範囲】
【請求項１】
本体内に着脱自在に収納される内鍋と、前記内鍋の下方に位置し前記内鍋を誘導加熱する誘導コイルと、前記誘導コイルの下方に配置するフェライトと、前記内鍋と前記誘導コイルと前記フェライトを内包するよう少なくとも底面を有する低透磁率かつ低抵抗率の金属材質で形成された保護枠と、前記誘導コイルに電力を供給するインバータ回路基板とからなる誘導加熱調理器であって、前記保護枠の底面に孔部を設けた誘導加熱調理器。
【請求項２】
前記保護枠に形成された孔部は、前記保護枠底面の外周に形成された凹部で構成された請求項１に記載の誘導加熱調理器。
【請求項３】
前記保護枠底面に形成された前記孔部から前記保護枠側面のコイルの高さ未満まで連続した側面孔部で構成された請求項１または２に記載の誘導加熱調理器。
【請求項４】
前記孔部は前記保護枠底面の半径方向に配置し、円周上に等間隔に配置した請求項１〜３のいずれか１項に記載の誘導加熱調理器。
【請求項５】
前記孔部は前記フェライトの下方に配置した請求項１〜４のいずれか１項に記載の誘導加熱調理器。
【請求項６】
前記孔部は前記フェライトの下方以外に配置した請求項１〜４のいずれか１項に記載の誘導加熱調理器。
【請求項７】
前記孔部の短辺方向の長さは、前記フェライトの短辺の長さを半分とした請求項５に記載の誘導加熱調理器。
【発明の詳細な説明】
【技術分野】
【０００１】
本発明は、一般家庭、レストランなどで使用される誘導加熱調理器に関するものである。
【背景技術】
【０００２】
従来、この種の誘導加熱調理器に代表される炊飯器は鍋を加熱する誘導磁界を発生させる誘導コイルを備え、前記誘導コイルは前記鍋の底面を加熱する内側コイルと前記鍋の底面と側面の間の傾斜を加熱する外側コイルとを備え、前記鍋を３次元的に加熱する誘導加熱炊飯器が知られている。
【０００３】
また、前記誘導コイルの下部にフェライトと前記誘導コイルと前記フェライトを支持するコイルベースを備え、前記誘導コイルと前記フェライトと前記コイルベースを樹脂でインサート成型し、一体成型する誘導加熱炊飯器が知られている（例えば、特許文献１参照）。
【先行技術文献】
【特許文献】
【０００４】
【特許文献１】特開２０００−６１９８６号公報
【発明の概要】
【発明が解決しようとする課題】
【０００５】
しかしながら、上記従来の構成では、高価なインサート成型装置が必要になるなど、安価に構成するのが困難だった。
【０００６】
そこで、インサート成型を使用しない構成として、本体内に着脱自在に収納される内鍋と、内鍋の下方に位置し内鍋を誘導加熱する誘導コイルと、誘導コイルの下方に配置するフェライトと、内鍋と誘導コイルとフェライトを内包する低透磁率かつ低抵抗率の金属材質の保護枠と、誘導コイルに電力を供給するインバータ回路基板とからなる誘導加熱炊飯器が考えられている。
【０００７】
しかし、上記構成では、保護枠底面に誘導電流が発生し、コイル損失が増加するため、誘導コイルの温度が上昇するという課題があった。
【０００８】
本発明は上記の課題を解決するもので、誘導コイルの温度上昇を抑える構成の誘導加熱調理器を提供することを目的とする。
【課題を解決するための手段】
【０００９】
前記の課題を解決するために、本発明の誘導加熱調理器は、本体内に着脱自在に収納される内鍋と、内鍋の下方に位置し内鍋を誘導加熱する誘導コイルと、誘導コイルの下方に配置するフェライトと、内鍋と誘導コイルとフェライトを内包するよう少なくとも底面を有する低透磁率かつ低抵抗率の金属材質で形成された保護枠と、誘導コイルに電力を供給するインバータ回路基板とからなる誘導加熱調理器において、保護枠底面に孔部を設けた誘導加熱調理器を提供する。
【００１０】
本発明にかかる誘導加熱調理器によれば、保護枠底面に孔部を設けることで、保護枠底面に生じる誘導電流の通り道が細くなるため、誘導電流を抑制することができ、コイルの損失を低減できるため、コイルの温度上昇を抑制することができる。
【発明の効果】
【００１１】
本発明の誘導加熱調理器は、保護枠底面に生じる誘導電流を抑制することができ、コイルの損失を低減できるため、コイルの温度上昇を抑制することができる。
【図面の簡単な説明】
【００１２】
【図１】本発明の実施の形態１における炊飯器の横断面図
【図２】（ａ）本発明の実施の形態１における炊飯器用内鍋の平面図（ｂ）本発明の実施の形態１における炊飯器用内鍋の縦断面図（ｃ）本発明の実施の形態１における炊飯器用内鍋の下面図（ｄ）本発明の実施の形態１における炊飯器用内鍋の下面の拡大図
【図３】（ａ）本発明の実施の形態１における炊飯器用内鍋磁性板の平面図（ｂ）本発明の実施の形態１における炊飯器用内鍋磁性板の縦断面図（ｃ）本発明の実施の形態１における炊飯器用内鍋磁性板の要部拡大断面図
【図４】本発明の実施の形態１における保護枠の底面図
【図５】本発明の実施の形態２における保護枠の底面図
【図６】（ａ）本発明の実施の形態３における保護枠ユニットの縦断面図（ｂ）本発明の実施の形態３における保護枠の底面図
【図７】本発明の実施の形態４における保護枠の底面図
【図８】（ａ）本発明の実施の形態５における保護枠ユニットの底面図（ｂ）本発明の実施の形態５における保護枠ユニットの斜視図
【図９】（ａ）本発明の実施の形態６における保護枠ユニットの底面図（ｂ）本発明の実施の形態６における保護枠ユニットの斜視図
【図１０】（ａ）本発明の実施の形態７における保護枠ユニットの底面図（ｂ）本発明の実施の形態７における保護枠ユニットの斜視図
【発明を実施するための形態】
【００１３】
第１の発明は、本体内に着脱自在に収納される内鍋と、内鍋の下方に位置し内鍋を誘導加熱する誘導コイルと、誘導コイルの下方に配置するフェライトと、内鍋と誘導コイルとフェライトを内包するよう少なくとも底面を有する低透磁率かつ低抵抗率の金属材質で形成された保護枠と、誘導コイルに電力を供給するインバータ回路基板とからなる誘導加熱調理器において、保護枠底面に孔部を設けた誘導加熱調理器である。
【００１４】
これによれば、孔部を設けることで、誘導コイルからの磁界はより一層鍋に集中するため、誘導コイルの損失も低減できるため誘導コイルの温度上昇を抑制することができる。
【００１５】
第２の発明は、特に第１の発明における保護枠底面の孔部を保護枠の外周部に凹部として形成した誘導加熱調理器とすることにより、外周部に流れる誘導電流が大きいため、外周部に孔部を設けることで、より一層効率よく保護枠底面に生じる誘導電流を小さくすることができ、誘導コイルの温度上昇を抑制することができる。
【００１６】
第３の発明は、特に第１または第２の発明において、保護枠底面に形成された孔部から保護枠側面の誘導コイルの高さ未満まで連続した側面孔部を形成した誘導加熱調理器とすることにより、保護枠底面に発生するはずの誘導電流を保護枠側面に生じさせることで保護枠側面もより一層発熱させることができ、誘導コイルの温度上昇も抑制できる。
【００１７】
第４の発明は、特に第１〜３のいずれかの発明において、孔部は半径方向に配置し、円周上に等間隔に配置した誘導加熱調理器とすることにより、均等に保護枠底面の温度が維持され、内鍋の温度も温度むらがおきにくくなる。また、溢水対策として、保護枠底面に均等に孔部が構成されているため、保護枠底部に水などが溜まりにくい構成となっている。
【００１８】
第５の発明は、特に第１〜４のいずれかの発明において、孔部はフェライトの下方に配置した誘導加熱調理器とすることにより、保護枠底面に孔部を設けても誘導コイルからの磁束がフェライトにより、保護枠底面方向に漏れるのを防ぐことができ、防磁効果を低下させることなく、誘導コイルの温度上昇を抑制することができる。
【００１９】
第６の発明は、特に第１〜４のいずれかの発明において、孔部はフェライトの下方以外に配置した誘導加熱調理器とすることにより、保護枠底面に孔部を設けると孔部から誘導コイルからの磁束が保護枠底面方向に少し漏れてしまうが、孔部から入った空気が誘導コイルに直接触れることができるため、対流により誘導コイルの熱を空気が奪い冷却するため、誘導コイルの温度上昇をより一層抑制することができる。また、溢水対策にもより一層効果的である。
【００２０】
第７の発明は、特に第５の発明において、孔部はフェライトの短辺の長さを半分にした形状をした誘導加熱調理器とすることにより、保護枠底面に孔部を設けても誘導コイルからの磁束がフェライトにより、保護枠底面方向に漏れるのを防ぐ効果と、フェライトが空気と接することで冷却され、誘導コイルの熱をフェライトを介して保護枠に熱伝導する効果の両方を兼ね備えた構成となっているため、防磁効果を低下させることなく、誘導コイルの温度上昇を抑制することができる。
【００２１】
以下、本発明の実施の形態について、図面を用いて一実施形態について詳細に説明する。なお、この実施の形態によって本発明が限定されるものではない。
【００２２】
（実施の形態１）
図１は本発明の実施の形態１における炊飯器用鍋を備えた炊飯器の縦断面図、図２（ａ）は同炊飯器用内鍋の平面図、図２（ｂ）は同炊飯器用内鍋の縦断面図、図２（ｃ）は同炊飯器用内鍋の下面図、図２（ｄ）は同炊飯器用内鍋の要部拡大断面図、図３（ａ）は同炊飯器用内鍋磁性板の平面図、図３（ｂ）は同炊飯器用内鍋磁性板の縦断面図、図３（ｃ）は同炊飯器用内鍋磁性板の要部拡大断面図を示したものである。
【００２３】
図１において、本体内に着脱自在に収納される内鍋３と、内鍋３の下方に位置し内鍋３を誘導加熱する誘導コイル４と、誘導コイル４の下方に配置するフェライト５と、内鍋３と誘導コイル４とフェライト５を内包するよう少なくとも底面を有する低透磁率かつ低抵抗率の金属材質で形成された保護枠２と、誘導コイル４に電力を供給するインバータ回路基板１１とからなる誘導加熱調理器が構成されている。誘導加熱調理器は以下では誘導加熱炊飯器として説明する。
【００２４】
図１において、具体的に説明すると、炊飯器本体１は、上面が開口しており、この炊飯器本体１の内部に配設した金属製の保護枠２に、内鍋３が着脱自在に収納されるようになっていて、この内鍋３の下方に位置し保護枠２の内側に加熱手段である誘導コイル４を設けており、誘導コイル４の磁束を集中させるためにフェライト５が設けている。内鍋３と誘導コイル４との間には絶縁体の仕切り板６が設けられている。内鍋３に米と水を入れて、誘導コイル４で内鍋３を加熱することによって炊飯するようにしている。保護枠２と内鍋３と仕切り板６で囲まれた空間は密閉空間であり外部からの空気の流出入は極めて少なく設計されている。
【００２５】
また、誘導コイル４とフェライト５と保護枠２は熱的に接続されており、誘導コイル４とフェライト５の自己発熱は保護枠２に伝熱され、保護枠２の上部の温度が上昇するように設計されている。
【００２６】
また、通常、誘導加熱方式の炊飯器においては誘導コイル４と駆動回路（図示せず）を冷却するための冷却ファンを設けるが、本構成では保護枠２と仕切り板６によって内鍋３の発熱を封じ駆動回路に伝えない構成としているため、ご飯を加熱する実質的な加熱性能が向上し低電流かつ低電力量で炊飯することが可能となる。よって、駆動回路の主要発熱部品の発熱量を低減することができ、冷却ファンを設けない駆動回路の設計が可能となるものである。
【００２７】
上記内鍋３は、図２（ａ）〜図２（ｄ）に示すアルミニウムで構成された内鍋３と、図３（ａ）〜図３（ｃ）に示すように、内鍋３の底面の外面に配設して、内鍋３の底面投影面よりその外径が内側に位置するように設けられたステンレスなどの磁性金属で構成された内鍋磁性板２６とから構成されている。内鍋３および内鍋磁性板２６は底面における中心から側面に至る略中間部（本実施の形態では中心と側面の３等分割点における側面から１／３とした）を通る任意の外周上を起点とし、中心方向および側面方向に繋がる曲面において、起点が内鍋３全高の最下点となるように成形されている。
【００２８】
この内鍋３の底面の内面の適所に複数の凹部２７を配設するとともに、内鍋３の底面の外面に複数の凸部２８を同時に配設し、且つ、凸部２８に対応する内鍋磁性板２６に内鍋３の底面に向かって凸となるような略バーリング形状に開口させた複数の内鍋繋止部２９を配設するとともに、内鍋３の凸部２８と内鍋磁性板２６の内鍋繋止部２９を合わせて圧着して、内鍋３に内鍋磁性板２６を固定した構成としてある。
【００２９】
また、内鍋３の底面の内外面に配設する凹部２７と凸部２８は内鍋３の中心を中心とする複数の同心円上に略等分に配置してあるとともに、凹部２７と凸部２８の位置が重ならないように、上述の凹部２７と凸部２８を配置する同心円の径を互い違い、例えば、隣り合う凹部２７の間に凸部２８の同心円が位置するように、或いは、隣り合う凸部２８の間に凹部２７の同心円が位置するように配置してあり、これにより、凹部２７と凸部２８の位置が干渉しなくなるようにしてある。
【００３０】
このように、内鍋３の底面の内面に配設する複数の凹部２７は、内鍋３の底面の外面に配設する複数の凸部２８の位置が重ならないように配置してある。
【００３１】
また、炊飯器本体１の上部には、炊飯器本体１の上面開口部を覆うように回動自在に取付けられた蓋１２が設けてあり、炊飯器本体１の下部には、内鍋３の温度を検知する鍋温度検知手段７が設けてある。
【００３２】
そして、インバータ回路基板１１によって、内鍋３の温度を検知する鍋温度検知手段７に基づき、所定のシーケンスで加熱手段である誘導コイル４をコントロールすることによって炊飯工程が実施される。
【００３３】
以上のように構成された本発明の実施の形態１における炊飯器の炊飯工程の動作を説明する。
【００３４】
使用者が、炊飯を行う米とその米量に対応する水とを内鍋３に入れ、炊飯器本体１に内装する。更に使用者が炊飯開始スイッチ（図示しない）を操作すると、炊飯工程が実施される。炊飯工程は、時間順に前炊き、炊き上げ、沸騰維持、蒸らしに大分される。前炊き工程において、内鍋３の温度が米の吸水に適した温度（５０℃）になるように誘導コイル４への入力を制御し、内鍋３内の米と水とを加熱する。次に、炊き上げ工程において、内鍋３の温度が所定値（１００℃）になるまで誘導コイル４への通電によって内鍋３を所定の熱量で加熱する。この時の温度上昇速度によって、炊飯量を判定する。沸騰維持工程において、内鍋３の水が無くなり、内鍋３の温度が１００℃を超えた所定値になるまで、誘
導コイル４に通電し、米と水を加熱する。最後に蒸らし工程において、一定時間の間に複数回、炊飯量に応じた誘導コイル４及び加熱板加熱手段（図示しない）による加熱（追い炊き）と加熱の停止（休止）を繰り返す。
【００３５】
炊飯工程において、内鍋３と保護枠２との間の空間の温度が、誘導コイル４およびフェライト５の自己発熱によって上昇するとともに、誘導コイル４およびフェライト５の自己発熱を保護枠２に導くことで、内鍋３と保護枠２との間の温度勾配を小さくし内鍋３からの放熱を抑制する。
【００３６】
また、保護枠２を金属とすることで内鍋３からの放射熱を保護枠２によって反射し内鍋３からの放熱を抑制することができる。
【００３７】
また、従来、誘導コイル４から内鍋３以外に漏れ出る電磁界を、反射板や防磁リングなどを発熱させて炊飯器本体１外に漏れ出ることを防いでいたが、保護枠２を磁性金属とし発熱させることで、内鍋３からの放熱を抑制することができる。
【００３８】
また、内鍋３と保護枠２との間の空間上部はシール部により囲まれ、いわゆる半閉鎖空間として形成されているので、内鍋３と保護枠２との間の空気が炊飯器本体１の外部に流出することも抑えることができる。
【００３９】
以上のことより、ご飯の食味を良好に保ちつつ、省エネルギー化を図ることができる。また、総消費電力量を従来と同じにした場合には、ご飯に加わる熱量を多くして、ご飯の食味をより良好にすることができる。
【００４０】
また、内鍋３と保護枠２の間には、誘導コイル４と内鍋３を仕切る仕切り板６を有し、内鍋３から順に仕切り板６、誘導コイル４、フェライト５、保護枠２によって構成することにより、内鍋３の発熱と誘導コイル４およびフェライト５の自己発熱を保護枠２によって封じ込むことができ、より省エネルギー化を図ることができる。また、磁束密度を向上し誘導コイル４からの磁束を効率よく内鍋３に伝えることができるため熱効率が良い。
【００４１】
また、保護枠２は金属材料であるため、誘導コイル４およびフェライト５の自己発熱の一部を保護枠２の上部に熱伝導し易くなることで、内鍋３の側面に別途加熱ヒータなどを設けなくとも内鍋３の側面を加熱することが可能となる。従来は炊飯加熱に利用していなかった誘導コイル４やフェライト５の発熱を炊飯加熱に利用するため、ご飯の食味を良好に保ちつつ、省エネルギー化を図ることができる。
【００４２】
また、冷却ファンを設けないことで、炊飯器本体１外の油煙や埃を炊飯器本体１内部に吸い込む恐れがないため、信頼性が高い誘導加熱炊飯器とすることができるものである。
【００４３】
しかし、上記で示した構成では、誘導コイル４の温度が上昇してしまうという可能性が考えられる。
【００４４】
そこで、本発明の特徴的な構成を以下に説明する。
【００４５】
図４に実施の形態１における保護枠の底面図を示した。図４において、保護枠底面２ａには種々の孔部１０ａ〜１０ｃが形成されている。通常、インバータ回路基板１１からの電力供給によって誘導コイル４に電流が流れ、誘導コイル４から磁界が発生し、フェライト５で吸収することができなかった磁界が保護枠底面２ａに吸収され、保護枠底面２ａに誘導電流１５が流れる。そのため、保護枠底面２ａの全面に誘導電流１５ａ〜１５ｄが流れようとするが、孔部１０を設けることで、保護枠底面２ａに誘導電流１５ｂ、１５ｄは
流れることができなくなり、誘導電流１５ａ、１５ｃが流れることとなる。
【００４６】
よって、孔部１０を設けることで、保護枠底面２ａに誘導電流１５が流れる通り道を細くすることができるため、誘導電流１５を抑制することができ、誘導コイル４からの磁界はより一層鍋に集中するため、誘導コイル４の損失も低減できるため、誘導コイル４の温度上昇を抑制することができる。
【００４７】
また、保護枠底面２ａが加熱されにくくなるため、誘導コイル４からフェライト５を介して保護枠底面２ａに熱が伝導することで誘導コイル４の温度上昇を抑制することができる。
【００４８】
また、保護枠底面２ａに孔部１０を設けることで、炊飯の際、使用者が誤って内鍋３が保護枠２に入っていない状態で、米や水などの異物を保護枠２内に入れてしまった際に、保護枠２内に水が溜まることを抑制し、誘導コイル４やフェライト５が水に浸かるのを防ぐこともできる。
【００４９】
以上のことより、誘導コイル４の温度上昇が抑制することができるため、保護枠２内に内鍋３と誘導コイル４とフェライト５とを内包した構成にすることができる。そのため、ご飯の食味を良好に保ちつつ、省エネルギー化を図ることができる。また、総消費電力量を従来と同じにした場合には、ご飯に加わる熱量を多くして、ご飯の食味をより良好にすることができる。また、保護枠２のみで防磁効果も溢水対策も兼ね備えることができる。
【００５０】
（実施の形態２）
図５は本発明の実施の形態２における炊飯器の保護枠の底面図を示したものである。
【００５１】
図５において、保護枠底面２ａに形成された孔部１０は、保護枠２の外周部に形成された凹部１０で構成した。これは、保護枠底面２ａに生じる誘導電流１５は、通常外周に行くにつれて強くなっているので、外周部の流れを絶つことで、保護枠底面２ａに流れる誘導電流１５を小さくすることができ、誘導コイル４の温度上昇を抑制することができる。
【００５２】
（実施の形態３）
図６（ａ）は本発明の実施の形態３における保護枠ユニットの縦断面図、図６（ｂ）は本発明の実施の形態１における炊飯器の保護枠の底面図を示したものである。
【００５３】
図６において、保護枠底面２ａに形成された底面孔部８から保護枠側面２ｂの誘導コイル４の高さ未満１６まで連続した側面孔部９で構成した。これは、保護枠底面２ａに発生するはずの誘導電流１５を保護枠側面２ｂに生じさせることで保護枠側面２ｂを発熱させることができ、内鍋３からの放熱を抑制できる。
【００５４】
そのため、磁束密度を向上し誘導コイル４からの磁束を効率よく内鍋３に伝えることができるため熱効率が良い。
【００５５】
また、ご飯の食味を良好に保ちつつ、省エネルギー化を図ることができる。
【００５６】
ここで、側面孔部９を保護枠側面２ｂの誘導コイル４の高さ未満１６まで設置するのは、誘導コイル４から磁界が発生しているため、防磁効果を保たせるためである。
【００５７】
（実施の形態４）
図７は本発明の実施の形態４における炊飯器の保護枠の底面図を示したものである。
【００５８】
図７において、保護枠底面２ａに形成された孔部１０は、保護枠底面２ａの半径方向に配置し、円周上に等間隔１７に配置されている。これは、均等に孔部１０が配置されているため、均等に保護枠底面２ａの温度が維持され、内鍋３の温度も温度むらがおきにくくなる。また、溢水対策として、保護枠底面２ａに均等に孔部１０が構成されているため、保護枠底面２ａに水などが溜まりにくい。
【００５９】
（実施の形態５）
図８（ａ）本発明の実施の形態５における保護枠ユニットの底面図、図８（ｂ）本発明の実施の形態６における保護枠ユニットの斜視図を示したものである。
【００６０】
図８において、孔部１０は前記フェライト５の下方に配置した構成とした。これは、保護枠底面２ａに孔部１０を設けても誘導コイル４からの磁束が保護枠底面方向に漏れるのを防ぐことができ、防磁効果を低下させることなく、誘導コイル４の温度上昇を抑制することができる。
【００６１】
（実施の形態６）
図９（ａ）本発明の実施の形態６における保護枠ユニットの底面図、図９（ｂ）本発明の実施の形態７における保護枠ユニットの斜視図を示したものである。
【００６２】
図９において、孔部１０はフェライト５の下方以外に配置した構成とした。これは、保護枠底面２ａに孔部１０を設けると孔部１０から誘導コイル４からの磁束が保護枠底面方向に少し漏れてしまうが、孔部１０から入った空気が誘導コイル４に直接触れることができるため、対流により誘導コイル４の温度上昇をより一層抑制することができる。また、溢水対策にもより一層効果的である。
【００６３】
（実施の形態７）
図１０（ａ）本発明の実施の形態７における保護枠ユニットの底面図、図１０（ｂ）本発明の実施の形態７における保護枠ユニットの斜視図を示したものである。
【００６４】
図１０において、孔部１０はフェライト５の短辺の長さを半分にした形状とした構成とした。これは、保護枠底面２ａに孔部１０を設けても誘導コイル４からの磁束が保護枠底面方向に漏れるのを防ぐことができ、防磁効果を低下させることなく、誘導コイル４の温度上昇を抑制することができる効果と、フェライト５が空気と接することで対流によりフェライト５の熱が奪われ冷却され、誘導コイル４の熱をフェライト５を介して保護枠２に熱伝導する効果の両方を兼ね備えた構成となっている。
【産業上の利用可能性】
【００６５】
以上のように、本発明の誘導加熱調理器は、保護枠底面に生じる誘導電流を抑制することができ、コイルの損失を低減できるため、コイルの温度上昇を抑制することができるため、家庭用または業務用の調理器として有用である。
【符号の説明】
【００６６】
１  炊飯器本体
２  保護枠
３  内鍋
４  誘導コイル
５  フェライト
６  仕切り板
７  鍋温度検知手段
８  底面孔部
９  側面孔部
１０  孔部
１１  インバータ回路基板
１２  蓋
１５  誘導電流
２６  内鍋磁性板
２７  凹部
２８  凸部
２９  内鍋繋止部
【図１】
2014004190.tif 000003
【図２】
2014004190.tif 000004
【図３】
2014004190.tif 000005
【図４】
2014004190.tif 000006
【図５】
2014004190.tif 000007
【図６】
2014004190.tif 000008
【図７】
2014004190.tif 000009
【図８】
2014004190.tif 000010
【図９】
2014004190.tif 000011
【図１０】
2014004190.tif 000012